(57)【要約】【課題】異常発生時にもＡＣ−ＤＣ電源回路に故障を引き起こしたりダメージを与える可能性がなく、安全かつ確実な回路保護機能を実現する。【解決手段】ＡＣ−ＤＣ電源装置（１）は、ＡＣ入力部（２）と、ＡＣ−ＤＣ電源回路（１０）と、ＤＣ出力部（３）とを備える。また、ＡＣ入力部（２）の電圧を監視し、基準電圧を超える高電圧を検知したとき遮断信号を発生する高電圧検知手段（２０）と、高電圧検知手段（２０）が発生する遮断信号によりＡＣ入力部（２）からＡＣ−ＤＣ電源回路（１０）に至るラインを遮断するＡＣ入力遮断手段（３０）とを備える。さらに、高電圧検知手段（２０）が基準電圧を超える高電圧を検知したとき、電圧異常を使用者に警告する警告手段（４０）を備える。【選択図】図１
2005192348.tif 000002
【特許請求の範囲】
【請求項１】
ＡＣ入力部と、ＡＣ−ＤＣ電源回路と、ＤＣ出力部とを備えたＡＣ−ＤＣ電源装置において、
前記ＡＣ入力部の電圧を監視し、基準電圧を超える高電圧を検知したとき遮断信号を発生する高電圧検知手段と、
前記高電圧検知手段が発生する遮断信号により前記ＡＣ入力部から前記ＡＣ−ＤＣ電源回路に至るラインを遮断するＡＣ入力遮断手段と、
前記高電圧検知手段が基準電圧を超える高電圧を検知したとき、電圧異常を使用者に警告する警告手段と、
を備えたことを特徴とするＡＣ−ＤＣ電源装置。
【請求項２】
ＡＣ入力部と、ＡＣ−ＤＣ電源回路と、ＤＣ出力部とを備え、ＡＣ入力として発電機などを用いるＡＣ−ＤＣ電源装置において、
前記ＡＣ入力部の電圧を監視して定格電圧を超える電圧異常を検知する高電圧検知手段と、
前記ＡＣ−ＤＣ電源回路の前段に配置され、前記高電圧検知手段が電圧異常を検知したとき、前記ＡＣ−ＤＣ電源回路へのＡＣ入力を遮断するＡＣ入力遮断手段と、
前記高電圧検知手段が電圧異常を検知したとき、電圧異常を使用者に警告する警告手段と、
を備えたことを特徴とするＡＣ−ＤＣ電源装置。
【請求項３】
前記高電圧検知手段は、前記ＡＣ入力部に一次側が接続されるトランスと、このトランスの二次側に接続される整流回路と、この整流回路の出力電圧を基準電圧と比較する比較器とを備え、前記整流回路の出力電圧が前記基準電圧を超えたとき、前記比較器が前記ＡＣ入力遮断手段への遮断信号を発生するとともに、前記警告手段への警告信号を発生することを特徴とする請求項１または請求項２記載のＡＣ−ＤＣ電源装置。
【請求項４】
前記警告手段は、使用者に対して電圧異常を視覚的または聴覚的に警告することを特徴とする請求項１または請求項２記載のＡＣ−ＤＣ電源装置。
【発明の詳細な説明】
【技術分野】
【０００１】
この発明は、例えば光ファイバの融着接続機などに使用するＡＣ−ＤＣ電源装置に関するものである。
【背景技術】
【０００２】
一般に、ＡＣ−ＤＣ電源装置のＡＣ入力として、発電機などの異常高電圧を発生する可能性のある機器を使用する場合は、ＡＣ−ＤＣ電源回路の回路保護機能が必要であり、また、使用者への警告機能も有用である。
【０００３】
従来のこの種のＡＣ−ＤＣ電源装置１０１には、例えば図３に示すように、電源トランス１１１の二次側・整流後の電圧異常を検知する高電圧検知部１２０を備え、異常発生時には遮断信号を電力遮断部１３０に送信してＡＣ−ＤＣ電源回路１１０のＤＣ出力１０３を遮断するとともに、ＡＣ入力部１０２に接続されたノーマルクローズの接点１５０をオープンにしてＡＣ−ＤＣ電源回路１１０へのＡＣ入力１０２を遮断し、また、表示灯１４０による高電圧発生の警告を行うものがある（特許文献１参照）。
【特許文献１】特開平９−９３９４１号公報
【発明の開示】
【発明が解決しようとする課題】
【０００４】
しかしながら、このような従来のＡＣ−ＤＣ電源装置には、つぎのような問題があった。
【０００５】
すなわち、電源トランス１１１の二次側・整流後の電圧異常を検知しているため、異常発生時にも整流回路１１２までは高電圧が印加され、そのためＡＣ−ＤＣ電源回路１１０の故障の原因となる。
【０００６】
また、異常発生時にＡＣ−ＤＣ電源回路１１０への電力供給を遮断するためノーマルクローズの接点１５０を電源トランス１１１の一次側に使用している。そのため、異常発生時には一時的に電力供給は停止されるが、電力供給遮断後すぐに接点１５０が復帰し、電力供給が再開される。したがって、異常な高電圧が断続的にＡＣ−ＤＣ電源回路１１０に印加されることになり、ＡＣ−ＤＣ電源回路１１０にダメージを与える可能性がある。
【０００７】
この発明の課題は、上記従来のもののもつ問題点を排除して、異常発生時にもＡＣ−ＤＣ電源回路に故障を引き起こしたりダメージを与える可能性がなく、安全かつ確実な回路保護機能を実現することのできるＡＣ−ＤＣ電源装置を提供することにある。
【課題を解決するための手段】
【０００８】
この発明は上記課題を解決するものであって、請求項１に係る発明は、ＡＣ入力部と、ＡＣ−ＤＣ電源回路と、ＤＣ出力部とを備えたＡＣ−ＤＣ電源装置において、前記ＡＣ入力部の電圧を監視し、基準電圧を超える高電圧を検知したとき遮断信号を発生する高電圧検知手段と、前記高電圧検知手段が発生する遮断信号により前記ＡＣ入力部から前記ＡＣ−ＤＣ電源回路に至るラインを遮断するＡＣ入力遮断手段と、前記高電圧検知手段が基準電圧を超える高電圧を検知したとき、電圧異常を使用者に警告する警告手段とを備えたＡＣ−ＤＣ電源装置である。
【０００９】
請求項２に係る発明は、ＡＣ入力部と、ＡＣ−ＤＣ電源回路と、ＤＣ出力部とを備え、ＡＣ入力として発電機などを用いるＡＣ−ＤＣ電源装置において、前記ＡＣ入力部の電圧を監視して定格電圧を超える電圧異常を検知する高電圧検知手段と、前記ＡＣ−ＤＣ電源回路の前段に配置され、前記高電圧検知手段が電圧異常を検知したとき、前記ＡＣ−ＤＣ電源回路へのＡＣ入力を遮断するＡＣ入力遮断手段と、前記高電圧検知手段が電圧異常を検知したとき、電圧異常を使用者に警告する警告手段とを備えたＡＣ−ＤＣ電源装置である。
【００１０】
請求項３に係る発明は、請求項１または請求項２記載の発明において、前記高電圧検知手段は、前記ＡＣ入力部に一次側が接続されるトランスと、このトランスの二次側に接続される整流回路と、この整流回路の出力電圧を基準電圧と比較する比較器とを備え、前記整流回路の出力電圧が前記基準電圧を超えたとき、前記比較器が前記ＡＣ入力遮断手段への遮断信号を発生するとともに、前記警告手段への警告信号を発生するＡＣ−ＤＣ電源装置である。
【００１１】
請求項４に係る発明は、請求項１または請求項２記載の発明において、前記警告手段は、使用者に対して電圧異常を視覚的または聴覚的に警告するＡＣ−ＤＣ電源装置である。
【発明の効果】
【００１２】
この発明は以上のように、ＡＣ入力部と、ＡＣ−ＤＣ電源回路と、ＤＣ出力部とを備えたＡＣ−ＤＣ電源装置において、ＡＣ入力部の電圧を監視し、基準電圧を超える高電圧を検知したとき遮断信号を発生する高電圧検知手段と、高電圧検知手段が発生する遮断信号によりＡＣ入力部からＡＣ−ＤＣ電源回路に至るラインを遮断するＡＣ入力遮断手段と、高電圧検知手段が基準電圧を超える高電圧を検知したとき、電圧異常を使用者に警告する警告手段とを備えた構成としたので、高電圧検知手段が電圧異常を検知すると、ＡＣ入力遮断手段がＡＣ入力部からＡＣ−ＤＣ電源回路に至るラインを遮断することができ、それにより、電圧異常発生時にはＡＣ−ＤＣ電源回路へのＡＣ入力を遮断することで、安全かつ確実な回路保護機能を実現することができる効果がある。
【発明を実施するための最良の形態】
【００１３】
この発明の実施の形態を、図面を参照して説明する。
【００１４】
図１は、この発明によるＡＣ−ＤＣ電源装置の一実施形態を示すブロック図であり、このＡＣ−ＤＣ電源装置１は、ＡＣ入力部２と、ＡＣ−ＤＣ電源回路１０と、ＤＣ出力部３とを備えている。
【００１５】
ＡＣ−ＤＣ電源回路１０は、詳細には図示してないが、ＡＣ入力部２を介して供給されるＡＣ電力を、例えば、トランス、整流回路、平滑回路などを順次経てＤＣ電力に変換して出力するものである。このようなＡＣ−ＤＣ電源回路１０としては、周知のものを使用することが可能である。
【００１６】
また、ＡＣ−ＤＣ電源装置１は、ＡＣ入力部２の電圧を監視して基準電圧（例えば定格電圧）を超える高電圧を検知する高電圧検知部２０と、ＡＣ−ＤＣ電源回路１０の前段に配置されたＡＣ入力遮断部３０と、警告手段４０とを備えている。
【００１７】
高電圧検知部２０は、ＡＣ入力部２に一次側が接続されるトランス２１と、トランス２１の二次側に接続される整流回路２２と、整流回路２２の出力電圧を基準電圧と比較する比較器２３とを備えている。
【００１８】
そして、高電圧検知部２０は、ＡＣ入力部２の電圧が基準電圧（例えば定格電圧）を超えたとき、そのことを整流回路２２の出力電圧が基準電圧を超えることで検知し、それにより比較器２３から検知信号を発生する。
【００１９】
高電圧検知部２０の比較器２３から発生する検知信号は、遮断信号としてＡＣ入力遮断部３０へ送信される一方、警告信号として警告手段４０へ送信される。
【００２０】
ＡＣ入力遮断部３０は、詳細には図示してないが、高電圧検知部２０から遮断信号を受信すると、ＡＣ−ＤＣ電源回路１０へのＡＣ入力を遮断するものである。すなわち、ＡＣ入力遮断部３０は、ＡＣ入力部２からＡＣ−ＤＣ電源回路１０に至るラインを遮断するものであればよいから、例えば、適宜の開閉スイッチまたはスイッチング素子を用いて構成することが可能である。
【００２１】
警告手段４０は、詳細には図示してないが、高電圧検知部２０から警告信号を受信すると、使用者に対して電圧異常を視覚的または聴覚的に警告するものである。
【００２２】
このような警告手段４０としては、例えば、図２（ａ）に示すように、ＡＣ−ＤＣ電源装置１の側面などに設けられるＡＣインレット４１の近傍に高電圧検知警告灯４２として設置したり、また、図２（ｂ）に示すように、ＡＣ−ＤＣ電源装置１のＡＣプラグ４３の表面に高電圧検知警告灯４４として設置することができる。
【００２３】
これに限らず、例えば、適宜のモニタへの「異常発生」表示を行うことや、ブザーを鳴動させることによって、使用者に電圧異常を警告することも可能である。
【００２４】
次に、上記のように構成されたＡＣ−ＤＣ電源装置１の作用について説明する。
【００２５】
まず、発電機などの図示しないＡＣ電源にＡＣ−ＤＣ電源装置１を接続することで、発電機などの図示しないＡＣ電源からＡＣ入力部２にＡＣ電力の供給を受ける。
【００２６】
高電圧検知部２０は、ＡＣ入力ラインを常時監視していて、定格以上の高電圧が印加されると電圧異常を検知し、ＡＣ入力遮断部３０へ遮断信号を送信する一方、警告手段４０へ警告信号を送信する。
【００２７】
ＡＣ入力遮断部３０は、高電圧検知部２０から遮断信号を受信すると、ＡＣ−ＤＣ電源回路１０への電力供給を遮断する。ＡＣ入力遮断部３０はＡＣ−ＤＣ電源回路１０の前段に配置されているため、電圧異常発生時にＡＣ−ＤＣ電源回路１０には異常な高電圧が印加されず、ＡＣ−ＤＣ電源回路１０を安全かつ確実に保護することができる。
【００２８】
また、警告手段４０は、例えば高電圧検知警告灯４２または４４を点灯させることで、使用者に電圧異常発生を警告し、それにより、例えばＡＣコードを取り外すなどの適切な対応をとるよう使用者に促すことができる。
【００２９】
さらに、このＡＣ−ＤＣ電源装置１は、ノーマルクローズの接点を電源トランスの一次側に使用しておらず、また、ＡＣ入力ラインの電圧異常を直接監視して電力供給の遮断を行っているため、従来のもののように異常な高電圧が断続的にＡＣ−ＤＣ電源回路に印加されることは確実に回避される。
【図面の簡単な説明】
【００３０】
【図１】この発明によるＡＣ−ＤＣ電源装置の一実施形態を示すブロック図である。
【図２】警告手段の例を示す説明図である。
【図３】従来のＡＣ−ＤＣ電源装置の一例を示すブロック図である。
【符号の説明】
【００３１】
１  ＡＣ−ＤＣ電源装置
２  ＡＣ入力部
３  ＤＣ出力部
１０  ＡＣ−ＤＣ電源回路
２０  高電圧検知部
２１  トランス
２２  整流回路
２３  比較器
３０  ＡＣ入力遮断部
４０  警告手段
４１  ＡＣインレット
４２，４４  高電圧検知警告灯
４３  ＡＣプラグ
【図１】
2005192348.tif 000003
【図２】
2005192348.tif 000004
【図３】
2005192348.tif 000005